(57)【要約】【課題】購買意欲を高めることが可能な文字が表された、例えば、絵馬、お守り、祈願用の人形などの飾り物を提供する。【解決手段】板状部１１を有する飾り物１０であって、板状部１１には打ち抜かれた線によって形成される文字が表示され、文字は太文字１２からなって、線は太文字１２の輪郭２０、２１であり、輪郭２０、２１を形成する線の一部にブリッジ２２、２３が形成されて、太文字１２とその周囲の板状部１１が分離可能に連結されている。【選択図】図１
0003128196.tif 000002
【実用新案登録請求の範囲】
【請求項１】
板状部を有する飾り物であって、前記板状部には打ち抜かれた線によって形成される文字が表示されていることを特徴とする文字が表された飾り物。
【請求項２】
請求項１記載の文字が表された飾り物において、前記文字は太文字からなって、前記線は該太文字の輪郭であることを特徴とする文字が表された飾り物。
【請求項３】
請求項２記載の文字が表された飾り物において、前記輪郭を形成する線の一部にブリッジが形成されて、前記太文字とその周囲の前記板状部が分離可能に連結されていることを特徴とする文字が表された飾り物。
【請求項４】
請求項１記載の文字が表された飾り物において、前記文字の１または複数の連続した字画が前記線によって形成されていることを特徴とする文字が表された飾り物。
【請求項５】
請求項１〜４のいずれか１項に記載の文字が表された飾り物において、前記文字は、該文字を構成する字画の一部または全部によって囲まれる領域が該文字の周囲の前記板状部と連結し、該領域が該文字の周囲の前記板状部から分離不能となっていることを特徴とする文字が表された飾り物。
【請求項６】
請求項５記載の文字が表された飾り物において、前記文字は、「厄」からなることを特徴とする文字が表された飾り物。
【請求項７】
請求項１〜６のいずれか１項に記載の文字が表された飾り物において、該飾り物は絵馬であることを特徴とする文字が表された飾り物。
【請求項８】
請求項１〜６のいずれか１項に記載の文字が表された飾り物において、該飾り物はお守りであることを特徴とする文字が表された飾り物。
【請求項９】
請求項１〜６のいずれか１項に記載の文字が表された飾り物において、該飾り物は人形であることを特徴とする文字が表された飾り物。
【考案の詳細な説明】
【技術分野】
【０００１】
本考案は、板状部を備え、この板状部に打ち抜かれた線によって形成された文字が表された飾り物に関する。
【背景技術】
【０００２】
神社や仏閣などに祈願または報謝のために絵馬が用いられている。従来の絵馬は、例えば、特許文献１、２、非特許文献１に記載のように、五角形の板材に文字や図形が平面的に記載されたものがほとんどであるが、装飾性を高めるためにあるいは立体感を出すために、この文字や図形を板材の表面に浮き上がるようにして記載したものや窪めるようにして記載したものも提案されている。また、願掛け用、祈願用のお守りや動物人形についてはそれぞれ特許文献３、４に開示されている。
一方、日本古来から「厄」が信じられ、男女とも「厄年」と称されるものがあり、厄避けと称して神社仏閣にお参りすることも行なわれている。
【０００３】
【特許文献１】特開平１０−２８６１６７号公報
【特許文献２】実開昭６３−１２７４７４号公報
【特許文献３】特開２００５−１６８５６１号公報
【特許文献４】特開２００６−６４３８号公報
【非特許文献１】「世界大百科事典」、平凡社、１９７２年４月２５日、第４巻、ｐ．１
【考案の開示】
【考案が解決しようとする課題】
【０００４】
しかしながら、以上の絵馬、お守り、人形などの飾り物においては、文字を打ち抜きによって形成したものはなく、通常は紙や板などに墨などを用いて記載したものがほとんどであり、水に濡らした場合は変色、褪色、または滲むなどの問題があった。
また、古来から、「厄」の文字は災難を意味するものと考えられているので、願い事などを記載する絵馬と共通に考えられていることはほとんどなく、例えば、絵馬に「厄」、「厄払い」と記載して厄避けをすることは一般には行なわれていなかった。
更には、絵馬に願い事などが記載されるが、その文字あるいは特定の文字を太文字で形成し、絵馬の板材にその輪郭を切り抜くことも行なわれていなかった。
【０００５】
本考案はかかる事情に鑑みてなされたもので、購買意欲を高めることが可能な文字が表された、例えば、絵馬、お守り、祈願用の人形などの飾り物を提供することを目的とする。
【課題を解決するための手段】
【０００６】
前記目的に沿う本考案に係る文字が表された飾り物は、板状部を有する飾り物であって、前記板状部には打ち抜かれた線によって形成される文字が表示されている。
【０００７】
本考案に係る文字が表された飾り物において、前記文字は太文字からなって、前記線は該太文字の輪郭とすることが好ましい。ここで、前記輪郭を形成する線の一部にブリッジが形成されて、前記太文字とその周囲の前記板状部が分離可能に連結されていることが好ましい。また、前記文字の１または複数の連続した字画を前記線によって形成することができる。更に、前記文字は、該文字を構成する字画の一部または全部によって囲まれる領域が該文字の周囲の前記板状部材と連結し、該領域が該文字の周囲の該板状部から分離不能となっていることが好ましい。
【０００８】
本考案に係る文字が表された飾り物において、前記文字は「厄」とすることができる。また、該飾り物は、絵馬、お守り、人形とすることができる。
【考案の効果】
【０００９】
請求項１〜９記載の文字が表された飾り物においては、例えば、願が込められる特定の文字を表示することで、購買意欲を高めることが可能になる。
【００１０】
特に、請求項２記載の文字が表された飾り物においては、文字は太文字で打ち抜かれた線は太文字の輪郭であるので、人目を引くとともに、立体感を出して装飾性を高めることができ、購買意欲を更に高めることができる。
請求項３記載の文字が表された飾り物においては、ブリッジを切り離すことで、太文字を板状部から分離でき、太文字に相当した空間部が形成されることで、太文字を明瞭に読むことができる。
請求項４記載の文字が表された飾り物においては、文字の字画が打ち抜かれた線によって形成されているので、文字を板状部から読み取ることができるとともに、装飾性を与えることができる。
請求項５記載の文字が表された飾り物においては、文字を構成する字画の一部または全部によって囲まれる領域が文字の周囲の板状部と連結し、領域が文字の周囲の板状部から分離不能となっているので、文字部分のみを板状部から切り離して抜くことができる。
【００１１】
請求項６記載の文字が表された飾り物において、文字は「厄」からなるので、「厄」の文字を抜き落すことで、「厄を落とす」、「厄を抜く」という感情が使用者に伝わり、これによって、需要者の購買意欲を高めることができる。
請求項７記載の文字が表された飾り物においては、飾り物は絵馬であるので、氏名、年齢を記載するだけで奉納が可能になる。更に、より具体的な願い事を記載して奉納することもできる。
請求項８記載の文字が表された飾り物においては、飾り物はお守りであるので、使用者は
装身具として身につけることができ、例えば、常に「厄避け」が行なわれているという気持ちを持つことができる。
請求項９記載の文字が表された飾り物においては、飾り物は人形であるので、人形を本人と見なすことで、例えば、「厄避け」の祈願をより実感することができる。
【考案を実施するための最良の形態】
【００１２】
続いて、添付した図面を参照しつつ、本考案を具体化した実施の形態につき説明し、本考案の理解に供する。
ここで、図１は本考案の第１の実施の形態に係る文字が表された飾り物である絵馬の正面図、図２は本考案の第２の実施の形態に係る文字が表された飾り物であるお守りの正面図、図３は本考案の第３の実施の形態に係る文字が表された飾り物である人形の正面図である。
【００１３】
図１に示すように、本考案の第１の実施の形態に係る文字が表された飾り物である絵馬１０は、頂部が屋根型で横長の五角形の形状をした板状部１１と、板状部１１に偏って配置された「厄」の太文字（文字の一例）１２と、板状部１１の上部に設けられた飾り紐１３とを有している。
板状部１１は、厚みが、例えば、２．２〜３ｍｍの合板（材料は木材または厚紙であってもよい）の表裏に木目模様の化粧紙（薄い突板でもよい）を貼り付けたものからなって、底辺１４の長さは、例えば、１２〜１５ｃｍ、側辺１５、１６の長さは８〜１０ｃｍ、高さは１０〜１２ｃｍとなっている。
【００１４】
板状部１１の右正面側には、氏名と年齢をそれぞれ記載する氏名欄１７と、年齢欄１８が設けられている。
また、太文字１２である「厄」は、左上の「がんだれ」の部分とその右下の「ふしづくり」の部分からなり、「がんだれ」および「ふしづくり」の各部分の輪郭２０、２１は、板状部１１に打ち抜かれた線によって形成され、その一部にブリッジ２２、２３が形成されている。そして、輪郭２０、２１は、０．１〜１ｍｍの幅を有し、鋭い刃物を厚み方向に押し込んで形成している。
ここで、太文字１２である「厄」の「がんだれ」の部分と「ふしづくり」の部分は、互いに分離し独立している。従って、輪郭２０、２１のブリッジ２２、２３を切り離して「がんだれ」および「ふしづくり」の各部分を抜き落とすと、抜き落とされた部分によって囲まれる領域１９が「厄」の周囲の板状部１１と連結し、領域１９が「厄」の周囲の板状部１１から分離不能となっている。このため、「がんだれ」の部分と「ふしづくり」の部分を抜き落とすことにより、「厄」の太文字１２を板状部１１から際立たせることができる。
【００１５】
ブリッジ２２、２３は点状に各輪郭２０、２１に適当間隔毎に複数（この実施の形態では各輪郭２０、２１にそれぞれ５〜８個）設けてもよいし、板状部１１の厚み方向の一部に膜状に設けてもよい。太文字１２が１字の場合は、太文字１２は、絵馬１０の高さの０．４５〜０．７倍の高さを有するのが好ましい。また、太文字１２は、絵馬１０の一側に設けることによって、他側に願い事などを記載することができる。なお、板状部１１の左下側には、販売場所を示す神社、仏閣の印鑑マーク２５を表示するのがよい。
【００１６】
板状部１１の表裏には、木目調の化粧紙が貼着されており、太文字１２とその周囲の板状部１１との区別はつきにくいが、太文字１２を抜き落とすことにより、太文字１２である「厄」が明確に見えるようになる。特に、板状部１１の表面の色および色調と、絵馬１０の背景の色調が異なる場合は、より明確となる。
【００１７】
飾り紐１３は、直径が２．５〜３ｍｍ程度の合成繊維でできた組紐、撚り紐、または編み紐から形成されている。なお、飾り紐１３は、２５〜３５ｃｍの１本の紐を中央部で折り返し、一方側（図１では、折り返し側）を板状部１１の中央上部に設けられた掛止孔２６に挿通させるとともに、一方側のループ部内に他側をくぐらせることにより掛止している。なお、板状部１１の裏側には、この実施の形態では何も記載されておらず、購入者が願い事を自由に記載する欄として有効に利用できる。
【００１８】
この絵馬１０の使用にあっては、絵馬１０を購入後、板状部１１の表側の氏名欄１７と年齢欄１８に自分の氏名と年齢を記載し、必要な場合は、板状部１１の表側または裏側（太文字１２の輪郭２０、２１が現れている箇所は避けるのがよい）に祈願、成就の文章を記載する。そして、太文字１２の輪郭２０、２１のブリッジ２２、２３を切り離すことで太文字１２部分を抜き落とし、神社、仏閣に飾るか、または自宅に持ち帰る。これによって、「厄」の太文字１２を抜き落とした人に「厄落とし」の気持ちを与えることができる。
【００１９】
なお、文字が太文字の場合について説明したが、文字の１または複数の連続した字画の幅を狭くして、字画を打ち抜かれた線によって形成することもできる。字画を打ちにかれた線によって形成することで、文字を板状部から比較的容易に読み取ることができるとともに、装飾性も高めることができる。そして、例えば、文字を「厄」とした場合は、「厄」の文字が抜き落とされた状態で板状部に表示されるため、「厄を落とす」、「厄を抜く」という感情を使用者が容易に感じることができる。
【００２０】
図２に示すように、本考案の第２の実施の形態に係る文字が表された飾り物であるお守り２７は、頂部が屋根型で横長の五角形の形状をした板状部２８と、板状部２８の中央に配置された「厄」の太文字２９と、板状部２８の上部に設けられた飾り紐３０とを有している。
板状部２８は、厚みが、例えば、１〜２ｍｍの金属（材料は木材またはプラスチックであってもよい）で、その表裏面には艶消し加工が施され、底辺３１の長さは、例えば、１．５〜２．５ｃｍ、側辺３２、３３の長さは０．８〜１ｃｍ、高さは１〜１．５ｃｍとなっている。なお、太文字２９が「厄」のように１字の場合は、太文字２９は、お守り２７の板状部２８の高さの０．４５〜０．７倍の高さを有するのが好ましい。
【００２１】
太文字２９である「厄」を構成する「がんだれ」の部分と「ふしづくり」の部分の各輪郭３４、３５は、板状部２８に打ち抜かれた線によって形成され、その一部にブリッジ（図示せず）が形成されている。そして、輪郭３４、３５は、０．１〜１ｍｍの幅を有し、鋭い刃物を厚み方向に押し込んで形成され、「がんだれ」および「ふしづくり」の各部分（輪郭３４、３５の内側部分）は表裏面側から研削されて、厚みが、例えば、０．１〜０．５ｍｍの膜状となっている。
ここで、太文字２９である「厄」の「がんだれ」の部分と「ふしづくり」の部分は、互いに独立しているので、ブリッジを切り離して「がんだれ」および「ふしづくり」の各部分を抜き落とすと、抜き落とされた部分によって囲まれる領域３６が「厄」の周囲の板状部２８と連結し、領域３６が「厄」の周囲の板状部２８から分離不能となる。このため、「がんだれ」の部分と「ふしづくり」の部分を抜き落とすことにより、「厄」の太文字２９を板状部２８から際立たせることができる。
【００２２】
飾り紐３０は、例えば、直径が０．８〜１ｍｍ程度の合成繊維でできた一本の編み紐３７を中央部で折り返し、編み紐３７の両側同士を互いに撚り合わせて編み込み部３８を形成し、編み込み部３８の先側に解け防止用の金具３９を取付けることにより作製されている。
そして、金具３９の先側には貫通孔４０が設けられ、貫通孔４０を挿通する取付けリング４２を板状部２８の中央上部に設けられた掛止孔４１にも挿通させることにより、飾り紐３０を板状部２８に掛止している。更に、取付けリング４２を同時に鈴４３の取付け孔４４にも挿通させて、板状部２８に鈴４３も掛止させている。
【００２３】
このお守り２７の使用にあっては、お守り２７を購入後、板状部２８の太文字２９の「がんだれ」の部分と「ふしづくり」の部分をそれぞれ抜き落とす。これによって、「厄」の太文字２９を抜き落とした人に「厄落とし」の気持ちを与えることができるとともに、装身具として身につけることで、例えば、常に「厄落とし」が行なわれているという気持ちを持つことができる。
【００２４】
図３に示すように、本考案の第３の実施の形態に係る文字が表された飾り物である厄祓い祈願用の人形４５は、縦長矩形状の板状部４６と、板状部４６の上部中央に延設された円状部４７と、板状部４６の中央に配置された「厄」の太文字４８とを有し、円状部４７が頭部を、板状部４６の上側の短辺４９の両端側がそれぞれ肩部を示している。更に、板状部４６の各長辺５０の中央部より下側の位置から、上側の短辺４９の両端側の中央部に向けて、下方に湾曲する曲線５１がそれぞれ描かれ、曲線５１と長辺５０で囲まれる領域が腕部を示している。
ここで、板状部４６は、例えば、ケント紙、ボール紙などの紙材（材料は木材またはプラスチックであってもよい）で、短辺４９の長さは、例えば、８〜１０ｃｍ、長辺５０の長さは、例えば、１０〜１５ｃｍ、厚みは、例えば、０．１〜２ｍｍとなっている。なお、太文字４８が「厄」のように１字の場合は、太文字４８は、長辺５０の０．２５〜０．４倍の高さを有するのが好ましい。
【００２５】
太文字４８である「厄」を構成する「がんだれ」の部分と「ふしづくり」の部分の各輪郭５２、５３は、板状部４６に打ち抜かれた線によって形成され、その一部にブリッジ（図示せず）が形成されている。そして、輪郭５２、５３は、０．１〜１ｍｍの幅を有し、鋭い刃物を厚み方向に押し込んで形成されている。
ここで、「厄」の「がんだれ」の部分と「ふしづくり」の部分は、互いに独立しているので、ブリッジを切り離して「がんだれ」および「ふしづくり」の各部分を抜き落とすと、抜き落とされた部分によって囲まれる領域５４が「厄」の周囲の板状部４６と連結し、領域５４が「厄」の周囲の板状部４６から分離不能となる。このため、「がんだれ」および「ふしづくり」の各部分を抜き落とすことにより、「厄」の太文字４８を板状部４６から際立たせることができる。
【００２６】
この厄祓い祈願用の人形４５の使用にあっては、人形４５を購入後、先ず、祈願者が人形４５で自身の頭から足先までを撫で、次に、人形４５に、例えば三度息を吹きかけてから
板状部４６の太文字４８の「がんだれ」および「ふしづくり」の各部分を抜き落として、神社に収める。これによって、「厄」の太文字４８を抜き落とした人に「厄落とし」の気持ちを与えることができる。なお、人形４５を用いることで、祈願者が神社に直接出向くのが困難な場合でも、厄落しを受けたいと希望する神社で厄落としを行なうことができる。
【００２７】
以上、本考案の実施の形態を説明したが、本考案は、この実施の形態に限定されるものではなく、考案の要旨を変更しない範囲での変更は可能であり、前記したそれぞれの実施の形態や変形例の一部または全部を組み合わせて本考案の文字が表された飾り物を構成する場合も本考案の権利範囲に含まれる。
例えば、第１〜第３の実施の形態では、文字として太文字の「厄」を使用したが、文字（例えば、輪郭が打ち抜かれた線である太文字、字画が打ち抜かれた線によって形成される文字）の字画によって囲まれる領域が文字の周囲の板状部と連結し、領域の周囲の板状部から分離不能となるような文字であればよく、例えば、「心」、「一心」、「力」、「生」、「正」など、その意味が「厄を落とす」、「貫く」などと密接な関係を持ち、しかも、これによって人々に勇気や感動を引き起こす文字を使用することができる。
また、第１〜第３の実施の形態では、具体的な寸法や形状を用いて絵馬、お守り、および人形を説明したが、本考案の要旨を変更しない範囲で、これらの寸法や形状を変更する場合も本考案は適用される。
【図面の簡単な説明】
【００２８】
【図１】本考案の第１の実施の形態に係る文字が表された飾り物である絵馬の正面図である。
【図２】本考案の第２の実施の形態に係る文字が表された飾り物であるお守りの正面図である。
【図３】本考案の第３の実施の形態に係る文字が表された飾り物である人形の正面図である。
【符号の説明】
【００２９】
１０：絵馬、１１：板状部、１２：太文字、１３：飾り紐、１４：底辺、１５、１６：側辺、１７：氏名欄、１８：年齢欄、１９：領域、２０、２１：輪郭、２２、２３：ブリッジ、２５：印鑑マーク、２６：掛止孔、２７：お守り、２８：板状部、２９：太文字、３０：飾り紐、３１：底辺、３２、３３：側辺、３４、３５：輪郭、３６：領域、３７：編み紐、３８：編み込み部、３９：金具、４０：貫通孔、４１：掛止孔、４２：取付けリング、４３：鈴、４４：取付け孔、４５：人形、４６：板状部、４７：円状部、４８：太文字、４９：短辺、５０：長辺、５１：曲線、５２、５３：輪郭、５４：領域
【図１】
0003128196.tif 000003
【図２】
0003128196.tif 000004
【図３】
0003128196.tif 000005